(57)【要約】【課題】長期間遮断していた双方向遮断弁４１を確実に復帰させることができるガスメータを提供する。【解決手段】ガス流路を遮断する遮断状態と開放する復帰状態とを電気的に選択可能な双方向遮断弁４１と、双方向遮断弁４１を遮断状態から復帰状態にさせる復帰信号を出力する復帰信号出力手段４３と、を備え、出荷モード中は双方向遮断弁４１を遮断状態としてガス流量の計測を停止し、出荷モードから通常モードへの復帰要求を受けると、復帰信号出力手段４３が出力を行って双方向遮断弁４１を復帰状態にさせてガス流量の計測を行うガスメータにおいて、出荷モード中に双方向遮断弁４１の下流側のガス圧力が所定設定圧力を下回ったことを検出する圧力検出手段４４をさらに備え、復帰信号出力手段４３は圧力検出手段４４が下回ったことの検出後に復帰要求を受けると、復帰信号を複数回出力する。【選択図】　　　図１
2004012412.tif 000002
【特許請求の範囲】
【請求項１】
ガス流路を遮断する遮断状態とガス流路を開放する復帰状態とを電気的に選択可能な双方向遮断弁と、該双方向遮断弁を前記遮断状態から前記復帰状態にさせる復帰信号を出力する復帰信号出力手段と、を備え、出荷モード中は前記双方向遮断弁を前記遮断状態としてガス流量の計測を停止し、前記出荷モードから通常モードへの復帰要求を受けると、前記復帰信号出力手段が前記出力を行って前記双方向遮断弁を前記復帰状態にさせて前記ガス流量の計測を行うガスメータにおいて、
前記出荷モード中に前記双方向遮断弁の下流側のガス圧力が所定の設定圧力を下回ったことを検出する圧力検出手段をさらに備え、
前記復帰信号出力手段は、前記圧力検出手段が前記下回ったことを検出した後に前記復帰要求を受けると、前記復帰信号を複数回出力する
ことを特徴とするガスメータ。
【請求項２】
前記圧力検出手段は、前記ガス流量に応じて往復動するのう膜である
ことを特徴とする請求項１に記載のガスメータ。
【発明の詳細な説明】
【０００１】
【発明の属する技術分野】
本発明は、ガスメータに関し、より詳細には、ガス流路を遮断する遮断状態とガス流路を開放する復帰状態とを電気的に選択可能な双方向遮断弁と、該双方向遮断弁を前記遮断状態から前記復帰状態にさせる復帰信号を出力する復帰信号出力手段と、を備え、出荷モード中は前記双方向遮断弁を前記遮断状態としてガス流量の計測を停止し、前記出荷モードから通常モードへの復帰要求を受けると、前記復帰信号出力手段が前記出力を行って前記双方向遮断弁を前記復帰状態にさせて前記ガス流量の計測を行うガスメータに関するものである。
【０００２】
【従来の技術】
一般的なガス供給系統の概要構成を図４を参照して説明する。
ガス供給系統１０は、液化ガスを貯留するためのガス容器１と、ガス容器１から流出するガスの圧力を後述のガスメータ４の流入口側圧力が基準圧力に相当するように調整（減圧）する圧力調整器２と、圧力調整器２にガス配管３を介して接続されたガスを燃焼させ熱エネルギーに変換するためのガス器具５と、ガス器具５へのガスの供給／遮断を行うためのガスコック６と、ガス器具５とガスコック６とを接続するゴムホース７と、を備えて構成されている。
【０００３】
次に概要動作を説明する。
ガスコック６を開状態とすると、ガス容器１内の液化ガスは、圧力調整器２により減圧され、ガス配管３を介してガスメータ４に供給される。そして、このガスメータ４は、ガスの通過体積を積算し、この積算結果をその表示部に表示する。これと並行してガスメータ４、ガスコック６、及びゴムホース７を介してガス器具５にガスが供給されることとなる。
【０００４】
上述したガス供給系統１０においてガスメータ４は、その通過流量に応じて流量信号を発する微差圧センサ、熱フローセンサ、トランスデューサなどの流量測定手段を備え、この流量測定手段から送られる前記流量信号に基づいてガスの流量を計測している。また、膜式のガスメータでは、流量測定手段である可動部の動きに応じてガスの流量を計測している。
【０００５】
図５は膜式のガスメータの外観の一例を示す正面図であり、図６は図５の膜式のガスメータの左側面を示す一部破断側面図である。
図５及び６に示す膜式のガスメータ４は、その内部のガス流路を遮断する遮断状態とガス流路を開放する復帰状態とを電気的に選択可能な双方向遮断弁４１と、該双方向遮断弁４１を前記遮断状態から前記復帰状態にさせる復帰要求を作業員等に入力させる復帰スイッチ４２と、該復帰スイッチ４２の操作に応じて前記双方向遮断弁４１を前記遮断状態から前記復帰状態にさせる復帰信号を出力する制御装置（復帰信号出力手段）４３と、双方向遮断弁４１の下流側の例えば計測室等に設けられてガス流量に応じて往復動するのう膜４４と、伝達機能（図示せず）によって伝達される前記のう膜４４の往復動をカウントした結果をガスの計量値として表示する機械式のカウンタ４５と、を有している。
【０００６】
なお、のう膜４４、前記伝達機構、カウンタ４５のメカニズムについては、本出願人が以前に出願した特開平１０−２６７７２４号公報の膜式ガスメータと同様であるため、詳細な説明は省略する。
【０００７】
ガスメータ４はさらに、前記ガス流路の流量を検知する流量検知装置４６と、ガスメータ４のセキュリティ状態、警告状態等を表示するＬＣＤ等の表示装置４７と、を備え、前記双方向遮断弁４１、流量検知装置４６及び表示装置４７を制御装置４３に接続している。
【０００８】
双方向遮断弁４１は、制御装置４３から遮断信号が入力されると、ガス流路に設けた弁座４８を弁体４１ａで遮断するように駆動することで前記遮断状態となる。また、制御装置４３から復帰信号が入力されると、弁体４３ａが弁座４７を開放するように駆動することで前記復帰状態となる。
【０００９】
また、ガスメータ４は、内蔵する電池の消耗を最小限に抑える出荷モード（仮眠状態）中は、輸送中の衝撃などにより双方向遮断弁４１が破損することを防止するために、双方向遮断弁４１は遮断状態となっており、双方向遮断弁４１を遮断状態としてガス流量の計測を停止し、作業員等の復帰操作に応じた出荷モードから通常モードへの復帰要求が発生すると、制御装置４３が前記出力を行って双方向遮断弁４１を前記復帰状態にさせて前記ガス流量の計測を行うようになっている。
【００１０】
出荷モードへの移行及び解除（通常モードへの移行）を行うモード制御は、何れもガスメータ４の外部からのマグネットキー操作によって行われる手動方式が採られており、該マグネットキーの操作に応じてオンするテストスイッチ（リードスイッチ）をガスメータ４はさらに備え、該テストスイッチ（図示せず）は制御装置４３に接続している。
【００１１】
図７は従来のガスメータにおける出荷モードの解除方法の一例を示すフローチャートであり、このフローチャートを参照して出荷モードの解除について説明する。
【００１２】
例えば、出荷されたガスメータ４は、一般家庭等に設置され、作業員等による前記マグネットキーの操作に応じて前記テストスイッチがオンされるのを待つ（ステップＴ１でＮ）。そして、前記テストスイッチがオンされ（ステップＴ１でＹ）、所定時間（例えば２分）以内に復帰スイッチ４２がオンされない場合は（ステップＴ２でＮ）、前記テストスイッチが再度オンされるのを待つ、つまり、出荷モードのままとなる。一方、所定時間以内に復帰スイッチ４２がオンされると（ステップＴ２でＹ）、制御装置４３は双方向遮断弁４１に対して前記復帰信号を出力する（ステップＴ３）。すると、双方向遮断弁４１は遮断状態から復帰状態に移行する。
【００１３】
制御装置４３は、流量検知装置４６が流量を検出したか否かに基づいて、双方向遮断弁４１が復帰状態になってから監視時間（例えば、１分）内の流量の有無を監視する。そして、前記監視時間内に流量を検出しなかった場合は（ステップＴ５でＹ）、出荷モードから通常モードに正常に復帰したことになり、制御装置４３は表示装置４７に通常表示をさせるための画面情報を出力することで、表示装置４７は通常表示を行い（ステップＴ６）、ガス流量の計測、監視等のガスメータ４の通常処理を開始する。
【００１４】
また、制御装置４３は前記監視時間内に流量を検出すると（ステップＴ４でＹ）、双方向遮断弁４１に対して前記遮断信号を出力するとともに、表示装置４７に遮断表示をさせるための画面情報を出力する（ステップＴ７）。そして、双方向遮断弁４１は復帰状態から遮断状態に移行し、表示装置４７は遮断表示を行う。
【００１５】
次に、ガスメータ４の出荷モードへの移行方法の一例について説明する。
通常モードのガスメータ４に対してテスト遮断操作を２回入力することによって行われる。すなわち、前記マグネットキーにより前記テストスイッチをオンさせて１度遮断操作を行い、そして、再度前記マグネットキーによりテストスイッチをオンさせ、２分以内に双方向遮断弁４１が復帰されないときに出荷モードへ移行する。
【００１６】
【発明が解決しようとする課題】
集合住宅や別荘などにおいて、ガス事業者が長期間ガスを止めるような場合は、ガスメータ４を出荷モードに移行させるようにしている。このような場合、長期間ガスメータ４の双方向遮断弁４１は遮断状態になっており、ガスメータ４の下流側にゴムホース７を介してガス器具５が存在すると、ゴムホース７よりガスが透過してガス配管３内が負圧となる可能性がある。この状態でその後、遮断状態の双方向遮断弁４１を復帰させようとして復帰スイッチ４２が操作されると、上述したように双方向遮断弁４１に復帰信号が入力されるが、弁体４３ａが弁座４７に通常よりも強い力で押しつけられているため、双方向遮断弁４１によっては弁体４３ａを弁座４７から引き戻す力が足りなくなる可能性があった。
【００１７】
つまり、ガスメータ４の制御装置４３は復帰信号を双方向遮断弁４１に出力した後、１分以内に流量検知装置４６がガスの流れを検知しない限り、正常モードに移行したと判断されて表示装置４７では通常表示が行われるため、この表示を見たガス消費者はガスメータ４が利用可能状態であると認識するが、双方向遮断弁４１は遮断状態であることからガス器具５にガスが流れないため、ガスメータ４の故障と判断される可能性があった。
【００１８】
よって本発明は、上述した問題点に鑑み、長期間遮断していた双方向遮断弁４１を確実に復帰させることができるガスメータを提供することを課題としている。
【００１９】
【課題を解決するための手段】
上記課題を解決するため本発明によりなされた請求項１記載のガスメータは、図１の基本構成図に示すように、ガス流路４０を遮断する遮断状態とガス流路４０を開放する復帰状態とを電気的に選択可能な双方向遮断弁４１と、該双方向遮断弁４１を前記遮断状態から前記復帰状態にさせる復帰信号を出力する復帰信号出力手段４３と、を備え、出荷モード中は前記双方向遮断弁４１を前記遮断状態としてガス流量の計測を停止し、前記出荷モードから通常モードへの復帰要求を受けると、前記復帰信号出力手段が前記出力を行って前記双方向遮断弁４１を前記復帰状態にさせて前記ガス流量の計測を行うガスメータにおいて、前記出荷モード中に前記双方向遮断弁４１の下流側のガス圧力が所定の設定圧力を下回ったことを検出する圧力検出手段４４をさらに備え、前記復帰信号出力手段４３は、前記圧力検出手段４４が前記下回ったことを検出した後に前記復帰要求を受けると、前記復帰信号を複数回出力することを特徴とする。
【００２０】
上記請求項１に記載した本発明のガスメータによれば、出荷モード中に双方向遮断弁４１の下流側のガス圧力が所定の設定圧力を下回ったことが圧力検出手段４４によって検出された後に復帰要求を受けると、双方向遮断弁４１に対して復帰信号が復帰信号出力手段４３によって複数回出力され、双方向遮断弁４１が遮断状態から復帰状態に復帰する。よって、出荷モード中に双方向遮断弁４１の下流側のガス圧力が所定の設定圧力を下回ったことを検出すると、復帰要求を受けた際に双方向遮断弁４１に対して復帰信号を複数回出力するので、１回の復帰信号で双方向遮断弁４１を復帰状態に移行させることができなくても、その後の復帰信号で復帰状態に移行させることができる。また、出荷モード中にガス圧力が所定の設定圧力を下回ったことを検出しなかった場合は、従来通り双方向遮断弁４１に対して復帰信号を１回しか出力しないため、電力を浪費することもない。従って、出荷モードが長期に渡ってしまい双方向遮断弁４１が復帰状態に移行させにくい状態になっていても確実に復帰状態に移行させることができる。
【００２１】
上記課題を解決するためになされた請求項２記載の発明は、図１の基本構成図に示すように、請求項１に記載のガスメータにおいて、前記圧力検出手段４４は、前記ガス流量に応じて往復動するのう膜であることを特徴とする。
【００２２】
上記請求項２に記載した本発明のガスメータによれば、出荷モード中にのう膜の下流側が負圧になってのう膜が作動した後に復帰要求を受けると、双方向遮断弁４１に対して復帰信号が復帰信号出力手段４３によって複数回出力され、双方向遮断弁４１が遮断状態から復帰状態に復帰する。よって、膜式のガスメータはガス流量に応じて往復動するのう膜を有しており、該のう膜の下流側が負圧になる際にのう膜が作動することを利用することで、ガスメータに新たな構成を追加することなく、圧力検出手段４４を実現することができる。従って、膜式のガスメータの場合は既存ののう膜を圧力検出手段として利用することができるため、構成を複雑化することなく、ソフトウェアの変更のみで対応することが可能となり、既存の膜式ガスメータにも容易に本発明を適用することができる。
【００２３】
【発明の実施の形態】
以下、本発明に係るガスメータの一実施の形態を、図２及び図３の図面と従来の技術で説明した図面とを参照して説明する。なお、従来の技術のところで説明したものと同一あるいは相当する部分には同一符号を付してその詳細な説明は省略する。
【００２４】
ここで、図２は本発明に係るガスメータの基本構成の一例を示す構成図であり、図３は図２のＣＰＵが実行する処理概要の一例を示すフローチャートである。
【００２５】
ガスメータ４は、従来の技術で説明した膜式のガスメータの基本構成と同一であり、双方向遮断弁４１、復帰スイッチ４２、制御装置４３、のう膜４４、流量検知装置４６、表示装置４７等を有して構成している。そして、制御装置４３は、図２に示すように、予め定められたプログラムに従って動作するマイクロコンピュータ（μＣＯＭ）４３０を有する。
【００２６】
μＣＯＭ４３０は、周知のように、予め定めたプログラムに従って各種の処理や制御などを行う中央演算処理装置（ＣＰＵ）４３１、ＣＰＵ４３１のためのプログラム等を格納した読み出し専用のメモリであるＲＯＭ４３２、各種のデータを格納するとともにＣＰＵ４３１の処理作業に必要なエリアを有する読み出し書き込み自在のメモリであるＲＡＭ４３３等を有して構成している。
【００２７】
μＣＯＭ４３０には、上述した双方向遮断弁４１、復帰スイッチ４２、制御装置４３、流量検知装置４６、表示装置４７等を接続している。さらに、本実施形態では、μＣＯＭ４３０にテストスイッチ４８を接続している。
【００２８】
テストスイッチ４８は、ガスメータ４の外部からのマグネットキー操作に応じてオンするスイッチ（リードスイッチ）であり、μＣＯＭ４３０はテストスイッチ４８のオン／オフ状態の監視が可能となっている。
【００２９】
また、膜式のガスメータ４では、上述したのう膜４４（図５参照）を有しており、該のう膜４４はその下流側が負圧になった際、つまり、ガス流路内のガス圧力が所定の設定圧力を下回ったことを検出すると作動することから、既存の前記のう膜４４を圧力検出手段として機能させ、前記のう膜４４の作動に応じてガスの流れが発生すると、流量検知装置４６はその流れに応じた信号をμＣＯＭ４３０に出力する。
【００３０】
μＣＯＭ４３０のＲＡＭ４３３には、出荷モード中において流量検知装置４６からの信号の有無に基づいてガスの流れが検出されたか否かを示す流量検出フラグ等を記憶している。なお、この流量検出フラグは、出荷モード中に流量が検出された場合はオン、流量が検出されなかった場合はオフが設定される。
【００３１】
次に、制御装置４３のＣＰＵ４３１が行う本発明に係る処理概要の一例を、図３のフローチャートを参照して以下に説明する。
【００３２】
ガスメータ４の内部に電池が組み込まれ、該電池からの電力の供給によりクロック数を低下させた出荷モードとしてＣＰＵ４３１が起動されプログラムがスタートする。そして、図３に示すステップＳ１において、流量検知装置４６からの入力の有無に基づいて前記のう膜４４が作動したか否かが判定される。流量検知装置４６からの入力がない、つまり、前記のう膜４４は作動していないと判定された場合は（ステップＳ１でＮ）、ステップＳ３に進む。一方、流量検知装置４６からの入力があった、つまり、前記のう膜４４が出荷モード中に作動したと判定された場合は（ステップＳ１でＹ）、ステップＳ２に進む。
【００３３】
ステップＳ２において、ＲＡＭ４３３の流量検出フラグにオンが設定され、その後ステップＳ３において、テストスイッチ４８からの入力信号の有無に基づいてテストスイッチ４８がオンされたか否かが判定される。テストスイッチ４８がオンされていないと判定された場合は（ステップＳ３でＮ）、ステップＳ１に戻り、一連の処理を繰り返す。一方、テストスイッチ４８がオンされたと判定された場合は（ステップＳ３でＹ）、ステップＳ４に進む。
【００３４】
ステップＳ４において、所定時間（例えば、２分）が経過するとタイムアウトするタイマを起動させ、該タイマがタイムアウトするまで、復帰スイッチ４２からの入力の有無に基づいて、テストスイッチ４８がオンされてから所定時間（例えば２分）以内に復帰スイッチ４２がオンされたか否かが判定される。所定時間内に復帰スイッチ４２がオンされなかったと判定された場合は（ステップＳ４でＮ）、ステップＳ１に戻り、一連の処理を繰り返す。一方、所定時間内に復帰スイッチ４２がオンされたと判定された場合は（ステップＳ４でＹ）、ステップＳ５に進む。
【００３５】
ステップＳ５において、ＲＡＭ４３３の流量検出フラグのオン／オフ状態に基づいて、出荷モード中に流量が検知されたか否かが判定される。流量検出フラグがオフ状態、つまり、出荷モード中に流量が検知されていないと判定された場合は（ステップＳ５でＮ）、ステップＳ６において、双方向遮断弁４１に対して前記復帰信号が１回出力され、１分が経過するとタイム１が起動され、その後ステップＳ８に進む。そして、前記復帰信号が入力された双方向遮断弁４１は遮断状態から復帰状態に移行する。
【００３６】
また、ステップＳ５で流量検出フラグがオン状態、つまり、出荷モード中に流量が検知されたと判定された場合は（ステップＳ５でＹ）、その後ステップＳ７において、双方向遮断弁４１に対して前記復帰信号が所定間隔で２回出力され、１分が経過するとタイム１が起動され、その後ステップＳ８に進む。よって、１回の開放動作で双方向遮断弁４１が開放状態に移行されなくても、再度、前記復帰信号が入力されるので、双方向遮断弁４１を開放状態に移行させることができる。
【００３７】
なお、本実施の形態では、双方向遮断弁４１に対して前記復帰信号を２回出力する場合について説明したが、本発明はこれに限定するものではなく、長期に渡って遮断状態だった双方向遮断弁４１が確実に復帰状態に移行できるように、双方向遮断弁４１の構造等に応じて種々異なる出力回数が設定される。
【００３８】
ステップＳ８において、流量検知装置４６からの入力の有無に基づいて流量が検出されたか否かが判定される。流量が検出されなかったと判定された場合は（ステップＳ８でＮ）、ステップＳ９において、前記タイマ１がタイムアウトしたか否かに基づいて、１分が経過したか否かが判定される。１分経過していないと判定された場合は（ステップＳ９でＮ）、ステップＳ８に戻り、一連の処理を繰り返す。一方、１分経過していると判定された場合は（ステップＳ９でＹ）、ステップＳ１０に進む。
【００３９】
ステップＳ１０において、表示装置４７に通常表示をさせるための画面情報が表示装置４７に出力され、ＲＡＭ４３３の流量検出フラグにオフが設定され、その後、ガス流量の計測、監視等のガスメータ４の通常処理が開始され、表示装置４７では通常表示が開始される。
【００４０】
また、ステップＳ８で流量が検出されたと判定された場合は（ステップＳ８でＹ）、異常状態と見なされ、双方向遮断弁４１に遮断信号が出力され、処理を終了する。この処理によって双方向遮断弁４１は再度遮断状態に移行する。
【００４１】
よって、上述した本実施の形態では、制御装置４３のＣＰＵ４３１が双方向遮断弁４１に前記復帰信号を出力していることから、ＣＰＵ４３１が特許請求の範囲に記載の復帰信号出力手段として機能している。
【００４２】
次に、出荷モードの解除時における本発明に係るガスメータの動作の一例を、図４の一般的なガス供給系統を示す図を参照して以下に説明する。
【００４３】
集合住宅や別荘などにおいて長期間ガスを利用しない場合、ガスメータ４はガス事業者の作業員等によって通常モードから出荷時モードに移行される。詳細には、前記マグネットキーによりテストスイッチ４８がオンされ、２分以内に双方向遮断弁４１が復帰されないときに、制御装置４３から双方向遮断弁４１に遮断信号が入力され、双方向遮断弁４１が遮断状態となり、ガスメータ４は出荷モードに移行することとなる。
【００４４】
例えば、長期に渡って出荷モードが続き、ガスメータ４の下流側にゴムホース７を介してガス器具５が存在し、ゴムホース７よりガスが透過してガス配管３内が負圧になり、ガスメータ４ののう膜４４が作動すると、制御装置４３のμＣＯＭ４３０には流量検知装置４６から信号が入力され、この入力に応じてＲＡＭ４３３の流量検出フラグにはオンが設定される。この状態でその後、上述したように出荷モードの解除操作が行われると、制御装置４３のＣＰＵ４３１は双方向遮断弁４１に対して復帰信号を２回出力する。
【００４５】
双方向遮断弁４１は１回目の復帰信号に応じた復帰動作で下流側の負圧状態を解消させ、２回目の復帰信号に応じた復帰動作で双方向遮断弁４１は遮断状態から復帰状態に移行する。その後、１分以内に流量が検知されなかった場合は、ガス流量の計測、監視等のガスメータ４の通常処理が開始されるとともに、表示装置４７に通常表示が開始される。
【００４６】
以上説明したように、出荷モード中に双方向遮断弁４１の下流側のガス圧力が所定の設定圧力を下回ったことをＣＰＵ４３１にて検出すると、ＣＰＵ４３１は復帰要求を受けた際に双方向遮断弁４１に対して復帰信号を複数回出力するので、１回の復帰信号で双方向遮断弁４１を復帰状態に移行させることができなくても、その後の復帰信号で復帰状態に移行させることができる。また、出荷モード中にガス圧力が所定の設定圧力を下回ったことを検出しなかった場合は、従来通り双方向遮断弁４１に対して復帰信号を１回しか出力しないため、電力を浪費することもない。従って、出荷モードが長期に渡ってしまい双方向遮断弁４１が復帰状態に移行させにくい状態になっていても確実に復帰状態に移行させることができる。
【００４７】
また、膜式のガスメータ４はガス流量に応じて往復動するのう膜４４を有しており、該のう膜４４の下流側が負圧になる際にのう膜４４が作動することを利用することで、ガスメータ４に新たな構成を追加することなく、圧力検出手段を実現することができる。従って、膜式のガスメータ４の場合は既存ののう膜４４を圧力検出手段として利用することができるため、構成を複雑化することなく、ソフトウェアの変更のみで対応することが可能となり、既存の膜式のガスメータ４にも容易に本発明を適用することができる。
【００４８】
よって、ガスメータ４のセキュリティに関する表示装置４７の表示が正常であるにも係わらず、ガスが使用できなくなる可能性がなくなるので、ガス消費者からガス事業者への問い合わせが発生する可能性もなくなり、故障していないガスメータ４が返却されることもなくなる。
【００４９】
なお、上述した本実施の形態では、膜式のガスメータ４について説明したが、本発明はこれに限定するものではなく、膜式ではない微差圧センサ、熱フローセンサ、トランスデューサなどの流量測定手段を有するガスメータ４については、双方向遮断弁４１の下流側に設けた圧力センサや既存の圧力センサ等を前記圧力検出手段として機能させ、制御装置４３にて出荷モード中における圧力を監視することで実現することができる。このように本発明を実現したガスメータ４でも本実施の形態と同様の作用・効果を得ることができる。
【００５０】
【発明の効果】
以上説明したように請求項１に記載した本発明のガスメータによれば、出荷モード中に双方向遮断弁の下流側のガス圧力が所定の設定圧力を下回ったことを検出すると、復帰要求を受けた際に双方向遮断弁に対して復帰信号を複数回出力するので、１回の復帰信号で双方向遮断弁を復帰状態に移行させることができなくても、その後の復帰信号で復帰状態に移行させることができる。また、出荷モード中にガス圧力が所定の設定圧力を下回ったことを検出しなかった場合は、従来通り双方向遮断弁に対して復帰信号を１回しか出力しないため、電力を浪費することもない。従って、出荷モードが長期に渡ってしまい双方向遮断弁が復帰状態に移行させにくい状態になっていても確実に復帰状態に移行させることができるという効果を奏する。
【００５１】
請求項２に記載の発明によれば、請求項１に記載の発明の効果に加え、膜式のガスメータはガス流量に応じて往復動するのう膜を有しており、該のう膜の下流側が負圧になる際にのう膜が作動することを利用することで、ガスメータに新たな構成を追加することなく、圧力検出手段を実現することができる。従って、膜式のガスメータの場合は既存ののう膜を圧力検出手段として利用することができるため、構成を複雑化することなく、ソフトウェアの変更のみで対応することが可能となり、既存の膜式ガスメータにも容易に本発明を適用することができるという効果を奏する。
【図面の簡単な説明】
【図１】本発明のガスメータの基本構成を示す図である。
【図２】本発明に係るガスメータの概略構成の一例を示す構成図である。
【図３】図２のＣＰＵが実行する処理概要の一例を示すフローチャートである。
【図４】一般的なガス供給系統の概要構成である。
【図５】膜式のガスメータの外観の一例を示す正面図である。
【図６】膜式のガスメータの左側面を示す一部破断側面図である。
【図７】従来のガスメータにおける出荷モードの解除方法の一例を示すフローチャートである。
【符号の説明】
４　　　　　　ガスメータ
４０　　　　　ガス流路
４１　　　　　双方向遮断弁
４２　　　　　復帰スイッチ
４８　　　　　テストスイッチ
４４　　　　　圧力検出手段（のう膜）
４３１　　　　復帰信号出力手段（ＣＰＵ）
【図１】
2004012412.tif 000003
【図２】
2004012412.tif 000004
【図３】
2004012412.tif 000005
【図４】
2004012412.tif 000006
【図５】
2004012412.tif 000007
【図６】
2004012412.tif 000008
【図７】
2004012412.tif 000009